(57)【特許請求の範囲】
【請求項１】
着用者の顔面の対象部位を覆うマスク本体部と、このマスク本体部を前記着用者の耳に係止するための左右一対の紐状の耳掛け部と、を備えるマスクであって、
前記左右一対の紐状の耳掛け部のうち、少なくとも一方の耳掛け部は、当該耳掛け部の一方の端部が前記マスク本体部の縁部に着脱自在に構成され、
前記耳掛け部のもう一方の端部は前記マスク本体部の縁部に取付け固定されるように構成され、
前記一方の耳掛け部の一方の端部の両面には、止着部材が設けられ、
前記耳掛け部の一方の端部と前記マスク本体部の縁部との係合位置を調整自在に構成されてなり、
前記マスク本体部の縁部は、当該縁部に着脱される前記一方の耳掛け部における前記一方の端部の表裏両面に着脱自在に固定された状態で挟むように二層構造をなしていることを特徴とするマスク。
【請求項２】
前記一方の耳掛け部の一方の端部の先端部には、長さ調整の目印となるマークが複数個設けられていることを特徴とする請求項１に記載のマスク。
【請求項３】
前記一方の耳掛け部の一方の端部は、止着部材が設けられ、
前記マスク本体部の一方の端部の内側層には、前記止着部材が係止される被係止部が複数個設けられていることを特徴とする請求項１に記載のマスク。
【発明の詳細な説明】
【技術分野】
【０００１】
本発明は、着用者の顔面の鼻や口や顎等を覆うマスクに関する。
【背景技術】
【０００２】
従来、疾病時や日常生活において使用される使い捨てのマスクが知られている。このマスクとしては、マスク本体の複数個所に表裏を貫通する紐を設け、この紐に沿ってマスク本体を変形させることで、当該マスクの着用感を向上させたものや（例えば、特許文献１参照）、マスク本体の紐通し具に通された一本の紐の長さを調整自在に構成されたもの（例えば、特許文献２参照）等がある。
【先行技術文献】
【特許文献】
【０００３】
【特許文献１】特許第５４４２１５０号公報
【特許文献２】特開２０１１−６２３７９号公報
【発明の概要】
【発明が解決しようとする課題】
【０００４】
しかしながら、上記特許文献１のように、マスク本体を変形させるために紐の伸縮性を利用すると、紐による締め付け感を生じさせてしまい、マスクの着用感を十分に向上させることができないといった問題がある。また、特許文献２のように、マスク本体の紐通し具に紐を通す構成の場合には、マスク本体の紐通し具内で紐が移動して、マスク本体の位置がずれてしまう虞もある。さらに、紐の長さを調整する構造が目立ってしまい、マスクの見た目の印象が低下してしまうといった問題もある。
【０００５】
そこで、本発明の課題は、マスクの見た目の印象を低下させることなく、着用感をより向上させることができるマスクを提供することである。
【課題を解決するための手段】
【０００６】
上記課題を解決するため、請求項１に記載の発明は、
着用者の顔面の対象部位を覆うマスク本体部と、このマスク本体部を前記着用者の耳に係止するための左右一対の紐状の耳掛け部と、を備えるマスクであって、
前記左右一対の紐状の耳掛け部のうち、少なくとも一方の耳掛け部は、当該耳掛け部の一方の端部が前記マスク本体部の縁部に着脱自在に構成され、
前記耳掛け部のもう一方の端部は前記マスク本体部の縁部に取付け固定されるように構成され、
前記一方の耳掛け部の一方の端部の両面には、止着部材が設けられ、
前記一方の耳掛け部の一方の端部と前記マスク本体部の縁部との係合位置を調整自在に構成されてなり、
前記マスク本体部の縁部は、当該縁部に着脱される前記一方の耳掛け部における前記一方の端部の表裏両面に着脱自在に固定された状態で挟むように二層構造をなしていることを特徴としている。
【０００７】
また、請求項２に記載の発明は、請求項１に記載のマスクにおいて、
前記一方の耳掛け部の一方の端部の先端部には、長さ調整の目印となるマークが複数個設けられていることを特徴としている。
【０００８】
請求項３に記載の発明は、請求項１に記載のマスクにおいて、
前記一方の耳掛け部の一方の端部には、止着部材が設けられ、
前記マスク本体部の一方の端部の内側層には、前記止着部材が係止される被係止部が複数個設けられていることを特徴とする。
【発明の効果】
【００１０】
本発明によれば、マスクの見た目の印象を低下させることなく、マスクの着用感の調整を着用者が自由に行うことができ、着用感をより向上させることができる。
【図面の簡単な説明】
【００１１】
【図１】本発明を適用した実施形態１のマスクを示す斜視図である。
【図２】図１のマスクのマスク本体部に耳掛け部を止着した状態を示す斜視図である。
【図３】変形例１のマスクを示す斜視図である。
【図４】変形例２のマスクを示す斜視図である。
【図５】本発明を適用した実施形態２のマスクを示す斜視図である。
【発明を実施するための形態】
【００１２】
以下に、本発明について、図面を用いて具体的な態様を説明する。ただし、発明の範囲は、図示例に限定されない。
【００１３】
［実施形態１］
図１は、本発明を適用した実施形態１のマスク１００を示す斜視図である。また、図２は、マスク１００のマスク本体部１に耳掛け部２を止着した状態を示す斜視図である。
なお、以下の説明では、マスク１００の鼻側を上側とし、その反対側である口側を下側とする。また、顔面側を後側とし、その反対側を前側とする。さらに、上下方向及び前後方向に略直交する方向を左右方向とする。
【００１４】
実施形態１のマスク１００は、例えば、使い捨てのプリーツ型のマスク１００であり、具体的には、図１及び図２に示すように、着用者の顔面の鼻や口や顎（対象部位）等を覆うマスク本体部１と、このマスク本体部１を着用者の耳に係止するための左右一対の耳掛け部２、２と、を備えている。
【００１５】
マスク本体部１は、例えば、正面視にて略矩形状に形成され、上下方向に広がることが可能なプリーツ１１が上下方向に複数形成されている。そして、マスク１００の着用時にはプリーツ１１が上下方向に広がることによりマスク本体部１が山型の立体的形状となって、当該マスク本体部１によって着用者の顔面の鼻や口や顎等が覆われるようになっている。
【００１６】
また、マスク本体部１は、例えば、スパンボンド不織布、メルトブロー不織布、スパンレース不織布、ガーゼ、タオル地等を複数重ね合わせて形成され、具体的には、内側層１ａと外側層１ｂとを有する積層構造をなしている。
なお、内側層１ａ及び外側層１ｂを構成する素材は、例えば、公知のものであれば如何なるものであっても良く、詳細な説明は省略する。また、マスク本体部１の製造方法も、公知のものであれば如何なるものであっても良く、詳細な説明は省略する。
【００１７】
また、マスク本体部１の左右方向の両縁部１２には、左右一対の耳掛け部２、２が設けられている。
【００１８】
左右一対の耳掛け部２、２の各々は、例えば、所定の厚さを有する平板状であり、全体として長尺に形成された紐状をなしている。また、耳掛け部２の一端部（例えば、上端部）２１がマスク本体部１の左右方向の両縁部１２の上端部に取付け固定され、耳掛け部２の他端部（例えば、下端部；一方の端部）２２がマスク本体部１の左右方向の両縁部１２の下端部に着脱自在に構成されている。
すなわち、紐状をなす耳掛け部２の他端部２２の先端には、例えば、面ファスナ等の止着部材２３が設けられ、マスク本体部１の左右方向の両縁部１２の下端部における内側層１ａと外側層１ｂとの間に、当該止着部材２３が着脱自在に止着されるようになっている。
ここで、止着部材２３は、耳掛け部２の他端部２２の先端の両面のうち、少なくとも一方の面（例えば、マスク本体部１の内側層１ａや外側層１ｂに対向する面等）に設けられていれば良い。
【００１９】
具体的には、二層構造をなすマスク本体部１の左右方向の両縁部１２の下端部が内側層１ａと外側層１ｂとに分離し、その間に耳掛け部２の他端部２２の止着部材２３が配置されることで、当該耳掛け部２の他端部２２を前後方向に表裏両面から挟むようになっている（図２参照）。
つまり、マスク本体部１の左右方向の両縁部１２の下端部における耳掛け部２の他端部２２が配置される位置（耳掛け部２の他端部２２とマスク本体部１の縁部１２との係合位置）、すなわち、止着部材２３が止着される位置を調整することで、当該耳掛け部２の耳に掛けられる実質的な長さを調整可能となっている。
【００２０】
なお、左右一対の耳掛け部２、２を構成する素材は、例えば、ゴムや、上記したマスク本体部１を構成する素材等、公知のものであれば如何なるものであっても良く、詳細な説明は省略する。
また、耳掛け部２の一端部（例えば、上端部）２１をマスク本体部１の縁部１２に取付け固定する方法としては、例えば、熱若しくは超音波による溶着等が挙げられるが、一例であってこれに限られるものではなく、適宜任意に変更可能である。
また、耳掛け部２の他端部２２に止着部材２３を取付け固定する方法としては、例えば、糊、粘着テープ、熱若しくは超音波による溶着等が挙げられるが、一例であってこれに限られるものではなく、適宜任意に変更可能である。
【００２１】
以上のように、実施形態１のマスク１００によれば、左右一対の耳掛け部２、２は、紐状をなし、当該耳掛け部２の一方の端部（他端部２２）がマスク本体部１の縁部１２に着脱自在に構成されているので、耳掛け部２の一方の端部とマスク本体部１の縁部１２との係合位置を調整することで、耳掛け部２の耳に掛けられる実質的な長さを着用者が自由に調整することができ、耳掛け部２による過度の締め付け感を生じさせ難くすることができる。具体的には、耳掛け部２の他端部２２の止着部材２３がマスク本体部１の縁部１２に止着される位置を自由に調整することができる。また、耳掛け部２の他端部２２がマスク本体部１の内側層１ａと外側層１ｂとにより表裏両面から挟まれることで、当該耳掛け部２の長さを調整していることが目立たなくなり、第三者が一見しても一般的なマスクと略同様の構造に見えるようになる。
これにより、マスク１００の見た目の印象を低下させることなく、マスク１００の着用感の調整を着用者が自由に行うことができ、着用感をより向上させることができる。
【００２２】
以下に、実施形態１のマスク１００の変形例について説明する。なお、下記に説明する以外の点は、上記実施形態１と略同様であり、その詳細な説明は省略する。
【００２３】
＜変形例１＞
図３は、変形例１のマスク１００Ａを示す斜視図である。
図３に示すように、変形例１のマスク１００Ａは、例えば、マスク本体部１の縁部１２に止着部材１３が設けられ、左右一対の耳掛け部２、２の一方の端部（例えば、他端部２２）が着脱自在に止着されるようになっている。具体的には、二層構造をなすマスク本体部１の左右方向の両縁部１２の下端部の内側層１ａに、例えば、面ファスナ等の止着部材１３が設けられている。
一方、耳掛け部２の他端部２２の先端には、長さ調整の目印となるマークＭが所定数（例えば、３つ）形成されている。
そして、各耳掛け部２の他端部２２の着用者所望の位置のマークＭが止着部材１３に止着されることで、当該耳掛け部２の耳に掛けられる実質的な長さを調整可能となっている。
【００２４】
したがって、変形例１のマスク１００Ａによれば、上記実施形態１と略同様に、耳掛け部２の一方の端部（他端部２２）とマスク本体部１の縁部１２との係合位置を調整することで、耳掛け部２の耳に掛けられる実質的な長さを着用者が自由に調整することができ、マスク１００Ａの着用感をより向上させることができる。
具体的には、マスク本体部１の縁部１２の止着部材１３に対して耳掛け部２の他端部２２が止着される位置を自由に調整することができる。特に、耳掛け部２の他端部２２の先端に形成されたマークＭを目印として利用することで、マスク本体部１の縁部１２の止着部材１３に対して耳掛け部２の他端部２２が止着される位置の調整をより簡便に行うことができる。
【００２５】
＜変形例２＞
図４は、変形例２のマスク１００Ｂを示す斜視図である。
図４に示すように、変形例２のマスク１００Ｂは、例えば、左右一対の耳掛け部２、２の一方の端部（例えば、他端部２２）に、「J」字状の止着部材（かぎ）２４が設けられ、一方、二層構造をなすマスク本体部１の左右方向の両縁部１２の下端部の内側層１ａに、止着部材２４が係止される被係止部（ホック）１４が所定数（例えば、３つ）設けられている。
そして、各耳掛け部２の他端部２２の止着部材２４が、マスク本体部１の着用者所望の何れかの被係止部１４に止着されることで、当該耳掛け部２の耳に掛けられる実質的な長さを調整可能となっている。
【００２６】
したがって、変形例２のマスク１００Ｂによれば、上記実施形態１と略同様に、耳掛け部２の一方の端部（他端部２２）とマスク本体部１の縁部１２との係合位置を調整することで、耳掛け部２の耳に掛けられる実質的な長さを着用者が自由に調整することができ、マスク１００Ｂの着用感をより向上させることができる。
【００２７】
なお、上記実施形態１並びに変形例１、２にあっては、左右一対の耳掛け部２、２の両方がマスク本体部１の縁部１２に着脱自在な構成を例示したが、一例であってこれに限られるものではなく、少なくとも一方の耳掛け部２がマスク本体部１の縁部１２に着脱自在な構成であれば良い。
【００２８】
また、左右一対の耳掛け部２、２の他端部（例えば、下端部）２２のみがマスク本体部１の縁部１２に着脱自在な構成を例示したが、一例であってこれに限られるものではなく、例えば、耳掛け部２の一端部（例えば、上端部）２１もマスク本体部１の縁部１２に着脱自在な構成であっても良い。
【００２９】
［実施形態２］
図５は、本発明を適用した実施形態２のマスク３００を示す斜視図である。
なお、下記に説明する以外の点は、上記実施形態１と略同様であり、その詳細な説明は省略する。
【００３０】
図５に示すように、実施形態２のマスク３００は、マスク本体部１の縁部１２に着脱自在に構成された左右一対の耳掛け部３０２、３０２を備えている。
マスク本体部１の縁部１２は、上記実施形態１と略同様に、内側層１ａと外側層１ｂとを有する積層構造をなしている。具体的には、二層構造をなすマスク本体部１の耳掛け部３０２側となる左右方向の両縁部１２が上下方向に亘って内側層１ａと外側層１ｂとに分離可能となっている。
また、左右一対の耳掛け部３０２、３０２の各々は、例えば、着用者の耳に対応する略「ロ」字状の開口部３０２ａを有している。そして、耳掛け部３０２の開口部３０２ａよりもマスク本体部１側の縁部３０２ｂには、例えば、面ファスナ等の止着部材３０３が当該縁部３０２ｂの長手方向に沿って設けられ、マスク本体部１の耳掛け部３０２側の縁部１２における内側層１ａと外側層１ｂとの間に、当該止着部材３０３が着脱自在に止着されるようになっている。ここで、止着部材３０３は、耳掛け部３０２のマスク本体部１側の縁部３０２ｂの両面のうち、少なくとも一方の面（例えば、マスク本体部１の内側層１ａや外側層１ｂに対向する面等）に設けられていれば良い。
すなわち、マスク本体部１の耳掛け部３０２側の両縁部１２が内側層１ａと外側層１ｂとに分離し、その間に耳掛け部３０２の縁部３０２ｂの止着部材３０３が配置されることで、当該耳掛け部３０２の縁部３０２ｂを前後方向に表裏両面から挟むようになっている（図５参照）。
【００３１】
以上のように、実施形態２のマスク３００によれば、左右一対の耳掛け部３０２、３０２は、マスク本体部１の耳掛け部３０２側の縁部１２に着脱自在に構成されているので、耳掛け部３０２とマスク本体部１の縁部１２との係合位置を着用者が自由に調整することができる。具体的には、耳掛け部３０２の開口部３０２ａよりもマスク本体部１側の縁部３０２ｂの止着部材３０３がマスク本体部１の縁部１２に止着される位置を自由に調整することができる。また、耳掛け部３０２の縁部３０２ｂがマスク本体部１の内側層１ａと外側層１ｂとにより表裏両面から挟まれることで、当該耳掛け部３０２の係合位置を調整していることが目立たなくなり、第三者が一見しても一般的なマスクと略同様の構造に見えるようになる。
これにより、マスク３００の見た目の印象を低下させることなく、マスク３００の着用感の調整を着用者が自由に行うことができ、着用感をより向上させることができる。
さらに、例えば、マスク本体部１を交換するだけで新たなマスク３００として使用することもできる。
【００３２】
なお、上記実施形態２にあっては、左右一対の耳掛け部３０２、３０２の両方がマスク本体部１の縁部１２に着脱自在な構成を例示したが、一例であってこれに限られるものではなく、少なくとも一方の耳掛け部３０２がマスク本体部１の縁部１２に着脱自在な構成であれば良い。
【００３３】
また、上記実施形態２にあっては、止着部材３０３を左右一対の耳掛け部３０２、３０２に設けるようにしたが、例えば、マスク本体部１の縁部１２に設けても良い。
【００３４】
また、本発明は、上記実施形態１、２等に限定されることなく、本発明の趣旨を逸脱しない範囲において、種々の改良並びに設計の変更を行っても良い。
例えば、上記実施形態１、２等にて例示した止着部材１３、２３、２４、３０３は、一例であってこれに限られるものではなく、例えば、ボタン等に適宜任意に変更可能である。
【００３５】
また、マスク１００、１００Ａ、１００Ｂ、３００の形状や素材等は、一例であってこれに限られるものではなく、適宜任意に変更可能である。
【００３６】
加えて、今回開示された実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【符号の説明】
【００３７】
１００、１００Ａ、１００Ｂ、３００  マスク
１        マスク本体部
１ａ      内層部
１ｂ      外層部
１２      縁部
２、３０２  耳掛け部
２２      他端部
３０２ａ  開口部
３０２ｂ  縁部
１３、２３、２４、３０３  止着部材
【図１】
0006588714.tif 000002
【図２】
0006588714.tif 000003
【図３】
0006588714.tif 000004
【図４】
0006588714.tif 000005
【図５】
0006588714.tif 000006